(57)【要約】【課題】携帯端末の利用者の行動に応じて、他の携帯端末の待受画面を自動で設定できる待受画面設定システムを提供する。【解決手段】待受画面表示部９１は、待受画面を表示する。状態記憶手段９２は、第一の携帯端末７０の状態を示す状態情報を記憶する。条件記憶手段９３は、所定の条件と条件を満たしたときに表示する画像情報とを対応付けた待受制御情報を記憶する。登録手段９４は、制御サーバ８０から状態情報を受信したときに、状態記憶手段９２に状態情報を登録する。タイマ９５は、現在時刻を計時する。画像表示手段９６は、状態記憶手段９２に記憶された状態情報及び現在時刻に対応する条件が条件記憶手段９３に記憶されている場合、条件に対応する画像情報を待受画面表示部９１に表示させる。【選択図】図９
2010103896.tif 000002
【特許請求の範囲】
【請求項１】
第一の携帯端末と、
前記第一の携帯端末から当該第一の携帯端末の状態を示す状態情報を受信する制御サーバと、
前記制御サーバから状態情報を受信し、当該状態情報に応じた待受画面を表示する第二の携帯端末とを備え、
前記第一の携帯端末は、
前記状態情報を検知する検知手段と、
前記状態情報と状態情報の基準を示す基準情報との間に差分があると判断した場合に、当該状態情報を制御サーバへ送信する状態情報送信手段とを備え、
前記制御サーバは、
前記状態情報を第二の携帯端末に送信する送信手段を備え、
前記第二の携帯端末は、
待受画面を表示する待受画面表示部と、
前記状態情報を記憶する状態記憶手段と、
所定の条件と当該条件を満たしたときに表示する画像情報とを対応付けた待受制御情報を記憶する条件記憶手段と、
前記制御サーバから前記状態情報を受信したときに、前記状態記憶手段に当該状態情報を登録する登録手段と、
現在時刻を計時するタイマと、
前記状態記憶手段に記憶された前記状態情報及び現在時刻に対応する条件が前記条件記憶手段に記憶されている場合、当該条件に対応する画像情報を前記待受画面表示部に表示させる画像表示手段とを備えた
ことを特徴とする待受画面設定システム。
【請求項２】
第一の携帯端末の検知手段は、状態情報として第一の携帯端末の現在位置を示す現在位置情報を検出し、
第一の携帯端末の状態情報送信手段は、状態情報として前記現在位置情報を制御サーバに送信し、
制御サーバの送信手段は、状態情報として前記現在位置情報を第二の携帯端末に送信し、
第二の携帯端末の登録手段は、制御サーバから前記現在位置情報を受信したときに、状態記憶手段に当該現在位置情報を状態情報として登録し、
画像表示手段は、状態記憶手段に記憶された前記現在位置情報及び現在時刻に対応する条件が条件記憶手段に記憶されている場合、当該条件に対応する画像情報を待受画面表示部に表示させる
請求項１記載の待受画面設定システム。
【請求項３】
第一の携帯端末は、
所定の条件を作成するための設定情報と、当該所定の条件を満たしたときに表示する画像情報とを対応付けて制御サーバへ送信する設定情報送信手段を備え、
制御サーバは、
前記設定情報及び画像情報をもとに、待受制御情報を生成する待受制御情報生成手段を備え、
制御サーバの送信手段は、前記待受制御情報生成手段が生成した待受制御情報を第二の携帯端末に送信し、
第二の携帯端末の登録手段は、前記待受制御情報を受信したときに、条件記憶手段に当該待受制御情報を登録する
請求項１から請求項２のいずれか１項に記載の待受画面設定システム。
【請求項４】
第一の携帯端末の設定情報送信手段は、設定情報として、状態情報と当該状態情報を満たす時間帯とを制御サーバへ送信し、
制御サーバの待受制御情報生成手段は、設定情報として、前記状態情報と前記時間帯とをもとに待受制御情報を生成する
請求項１から請求項３のいずれか１項に記載の待受画面設定システム。
【請求項５】
制御サーバは、
複数の宛先を記憶する宛先記憶手段を備え、
制御サーバの送信手段は、前記宛先の示す第二の携帯端末に状態情報を送信する
請求項１から請求項４のいずれか１項に記載の待受画面設定システム。
【請求項６】
他の携帯端末の状態を示す状態情報を受信する制御サーバから、当該状態情報を受信して当該状態情報に応じた待受画面を表示する携帯端末であって、
待受画面を表示する待受画面表示部と、
前記状態情報を記憶する状態記憶手段と、
所定の条件と当該条件を満たしたときに表示する画像情報とを対応付けた待受制御情報を記憶する条件記憶手段と、
前記制御サーバから前記状態情報を受信したときに、前記状態記憶手段に当該状態情報を登録する登録手段と、
現在時刻を計時するタイマと、
前記状態記憶手段に記憶された前記状態情報及び現在時刻に対応する条件が前記条件記憶手段に記憶されている場合、当該条件に対応する画像情報を前記待受画面表示部に表示させる画像表示手段とを備えた
ことを特徴とする携帯端末。
【請求項７】
制御サーバから状態情報として他の携帯端末の現在位置を示す現在位置情報を受信する携帯端末であって、
登録手段は、制御サーバから前記現在位置情報を受信したときに、状態記憶手段に当該現在位置情報を状態情報として登録し、
画像表示手段は、状態記憶手段に記憶された前記現在位置情報及び現在時刻に対応する条件が条件記憶手段に記憶されている場合、当該条件に対応する画像情報を待受画面表示部に表示させる
請求項６記載の携帯端末。
【請求項８】
自身の状態を示す状態情報を検知する携帯端末であって、
前記状態情報を検知する検知手段と、
前記状態情報と状態情報の基準を示す基準情報との間に差分があると判断した場合に、当該状態情報を予め定められた装置へ送信する状態情報送信手段とを備えた
ことを特徴とする携帯端末。
【請求項９】
第一の携帯端末から当該第一の携帯端末の状態を示す状態情報を受信し、所定の条件と当該条件を満たしたときに表示する画像情報とを対応付けた待受制御情報に応じた待受画面を表示する第二の携帯端末に前記状態情報を送信する制御サーバであって、
前記所定の条件を作成するための設定情報及び画像情報をもとに、前記待受制御情報を生成する待受制御情報生成手段と、
前記状態情報及び前記待受制御情報を前記第二の携帯端末に送信する送信手段とを備えた
ことを特徴とする制御サーバ。
【請求項１０】
第一の携帯端末が、当該第一の携帯端末の状態を示す状態情報を検知する検知ステップと、
前記第一の携帯端末が、前記状態情報と状態情報の基準を示す基準情報との間に差分があると判断した場合に、当該状態情報を制御サーバへ送信する状態情報送信ステップと、
前記制御サーバが、前記状態情報に応じた待受画面を表示する第二の携帯端末に当該状態情報を送信する送信ステップと、
前記第二の携帯端末が、前記制御サーバから前記状態情報を受信したときに、前記状態情報を記憶する状態記憶手段に当該状態情報を登録する登録ステップと、
所定の条件と当該所定の条件を満たしたときに表示する画像情報とを対応付けた待受制御情報を記憶する条件記憶手段に、前記状態記憶手段に記憶された前記状態情報及びタイマが計時した現在時刻に対応する条件が記憶されている場合、前記第二の携帯端末が当該条件に対応する画像情報を待受画面表示部に表示させる画像表示ステップとを含む
ことを特徴とする待受画面設定方法。
【請求項１１】
検知ステップで、状態情報として第一の携帯端末の現在位置を示す現在位置情報を検出し、
状態情報送信ステップで、状態情報として前記現在位置情報を制御サーバに送信し、
送信ステップで、状態情報として前記現在位置情報を第二の携帯端末に送信し、
登録ステップで、制御サーバから前記現在位置情報を受信したときに、状態記憶手段に当該現在位置情報を登録し、
画像表示ステップで、状態記憶手段に記憶された前記現在位置情報及び現在時刻に対応する条件が条件記憶手段に記憶されている場合、当該条件に対応する画像情報を待受画面表示部に表示させる
請求項１０記載の待受画面設定方法。
【請求項１２】
他のコンピュータの状態を示す状態情報を受信するサーバから、当該状態情報を受信して当該状態情報に応じた待受画面を表示するコンピュータに搭載される待受画面設定プログラムであって、
前記コンピュータに、
前記サーバから前記状態情報を受信したときに、前記状態情報を記憶する状態記憶手段に当該状態情報を登録する登録処理、および、
所定の条件と当該所定の条件を満たしたときに表示する画像情報とを対応付けた待受制御情報を記憶する条件記憶手段に、前記状態記憶手段に記憶された前記状態情報及びタイマが計時した現在時刻に対応する条件が記憶されている場合、当該条件に対応する画像情報を待受画面を表示する表示部に表示させる画像表示処理
を実行させるための待受画面設定プログラム。
【請求項１３】
前記コンピュータに、
登録処理で、サーバから前記現在位置情報を受信したときに、状態記憶手段に当該現在位置情報を状態情報として登録させ、
画像表示処理で、状態記憶手段に記憶された前記現在位置情報及び現在時刻に対応する条件が条件記憶手段に記憶されている場合、当該条件に対応する画像情報を待受画面表示部に表示させる
請求項１２記載の待受画面設定プログラム。
【請求項１４】
自身の状態を示す状態情報を検知するコンピュータに搭載されるプログラムであって、
前記コンピュータに、
前記状態情報を検知する検知処理、および、
前記状態情報と状態情報の基準を示す基準情報との間に差分があると判断した場合に、当該状態情報を予め定められた装置へ送信する状態情報送信処理
を実行させるための状態情報送信プログラム。
【請求項１５】
第一の携帯端末から当該第一の携帯端末の状態を示す状態情報を受信し、所定の条件と当該条件を満たしたときに表示する画像情報とを対応付けた待受制御情報に応じた待受画面を表示する第二の携帯端末に前記状態情報を送信するコンピュータに搭載されるプログラムであって、
前記コンピュータに、
前記所定の条件を作成するための設定情報及び画像情報をもとに、前記待受制御情報を生成する待受制御情報生成処理、および、
前記状態情報及び前記待受制御情報を、前記第二のコンピュータに送信する送信処理
を実行させるための制御プログラム。
【発明の詳細な説明】
【技術分野】
【０００１】
本発明は、携帯端末の利用者の動きに応じた待受画面を、他の携帯端末の画面に表示する待受画面設定システム、及びその待受画面設定システムに適用される携帯端末、制御サーバ、待受画面設定方法、待受画面設定プログラム、状態情報送信プログラム、及び制御プログラムに関する。
【背景技術】
【０００２】
離れて暮らす者とのコミュニケーションツールとして、写真付きメールやＴＶ電話を利用してコンタクトを行う方法が存在する。これらの方法を利用することにより、相手の姿形や居住空間が見えるため、安心感を得られるといった利点がある。
【０００３】
また、携帯電話機が普及し、携帯端末の待受画面に家族や友人、恋人やペットといった写真を貼って、携帯電話機を開くたびに心を和ませる者も多い。特に、携帯電話機の待受画面はＰＣ（Personal Computer ）よりも覗き見る回数が比較的多く、携帯電話機の利用者にとっては、待受画面は情報を取得する玄関となっている。
【０００４】
特許文献１には、特定のグループ内で携帯電話用待受け画面を共有できる携帯電話用待受け画面更新システムが記載されている。特許文献１に記載された携帯電話用待受け画面更新システムは、サーバが携帯電話機から画面データを受信して、その内容を記憶する。他の携帯端末がサーバに画面データが更新されたか否かを示すリクエストを送信すると、サーバは更新された画面データ及びテキストデータを送信する。携帯電話機は受信した画面データ及びテキストデータをもとに待受け画面を更新する。
【０００５】
【特許文献１】特開２００５−２２９１６４号公報（段落００２４〜００２６、図３）
【発明の開示】
【発明が解決しようとする課題】
【０００６】
写真付きメールやＴＶ電話を利用する場合、これらの方法を利用したコミュニケーションの方法は、常に対話等を必要とし、親密すぎると感じる場合も少なくない。かといって、このように感じる人々であっても、親密すぎず離れすぎない、程良い距離での触れ合いを求めるケースも存在する。常に対話等をしなくても、相手の様子がわかるだけで安心できると感じることも多いため、簡易的に相手の行動や安否を知りたいというニーズがある。
【０００７】
また、特許文献１に記載された携帯電話用待受け画面更新システムでは、待受画面に表示する画面データを更新する場合、携帯端末機のユーザが、サーバ内の画像データを意識して更新する必要がある。さらに、その画面データを携帯端末機の待受け画面として利用する利用者は、サーバ内の画面データが更新されたかどうかのリクエストを行い、サーバから画像データを取得して設定する作業が必要になるという課題があった。
【０００８】
そこで、本発明は、携帯端末の利用者の行動に応じて、他の携帯端末の待受画面を自動で設定できる待受画面設定システム、及びその待受画面設定システムに適用される携帯端末、制御サーバ、待受画面設定方法、待受画面設定プログラム、状態情報送信プログラム、及び制御プログラムを提供することを目的とする。
【課題を解決するための手段】
【０００９】
本発明による待受画面設定システムは、第一の携帯端末と、第一の携帯端末から第一の携帯端末の状態を示す状態情報を受信する制御サーバと、制御サーバから状態情報を受信し、状態情報に応じた待受画面を表示する第二の携帯端末とを備え、第一の携帯端末が、状態情報を検知する検知手段と、状態情報と状態情報の基準を示す基準情報との間に差分があると判断した場合に、状態情報を制御サーバへ送信する状態情報送信手段とを備え、制御サーバが、状態情報を第二の携帯端末に送信する送信手段を備え、第二の携帯端末が、待受画面を表示する待受画面表示部と、状態情報を記憶する状態記憶手段と、所定の条件と条件を満たしたときに表示する画像情報とを対応付けた待受制御情報を記憶する条件記憶手段と、制御サーバから状態情報を受信したときに、状態記憶手段に状態情報を登録する登録手段と、現在時刻を計時するタイマと、状態記憶手段に記憶された状態情報及び現在時刻に対応する条件が条件記憶手段に記憶されている場合、条件に対応する画像情報を待受画面表示部に表示させる画像表示手段とを備えたことを特徴とする。
【００１０】
本発明による携帯端末は、他の携帯端末の状態を示す状態情報を受信する制御サーバから、状態情報を受信して状態情報に応じた待受画面を表示する携帯端末であって、待受画面を表示する待受画面表示部と、状態情報を記憶する状態記憶手段と、所定の条件と条件を満たしたときに表示する画像情報とを対応付けた待受制御情報を記憶する条件記憶手段と、制御サーバから状態情報を受信したときに、状態記憶手段に状態情報を登録する登録手段と、現在時刻を計時するタイマと、状態記憶手段に記憶された状態情報及び現在時刻に対応する条件が条件記憶手段に記憶されている場合、条件に対応する画像情報を待受画面表示部に表示させる画像表示手段とを備えたことを特徴とする。
【００１１】
本発明による携帯端末は、自身の状態を示す状態情報を検知する携帯端末であって、状態情報を検知する検知手段と、状態情報と状態情報の基準を示す基準情報との間に差分があると判断した場合に、状態情報を予め定められた装置へ送信する状態情報送信手段とを備えたことを特徴とする。
【００１２】
本発明による制御サーバは、第一の携帯端末から第一の携帯端末の状態を示す状態情報を受信し、所定の条件と条件を満たしたときに表示する画像情報とを対応付けた待受制御情報に応じた待受画面を表示する第二の携帯端末に状態情報を送信する制御サーバであって、所定の条件を作成するための設定情報及び画像情報をもとに、待受制御情報を生成する待受制御情報生成手段と、状態情報及び待受制御情報を第二の携帯端末に送信する送信手段とを備えたことを特徴とする。
【００１３】
本発明による待受画面設定方法は、第一の携帯端末が、第一の携帯端末の状態を示す状態情報を検知する検知ステップと、第一の携帯端末が、状態情報と状態情報の基準を示す基準情報との間に差分があると判断した場合に、状態情報を制御サーバへ送信する状態情報送信ステップと、制御サーバが、状態情報に応じた待受画面を表示する第二の携帯端末に状態情報を送信する送信ステップと、第二の携帯端末が、制御サーバから状態情報を受信したときに、状態情報を記憶する状態記憶手段に状態情報を登録する登録ステップと、所定の条件と所定の条件を満たしたときに表示する画像情報とを対応付けた待受制御情報を記憶する条件記憶手段に、状態記憶手段に記憶された状態情報及びタイマが計時した現在時刻に対応する条件が記憶されている場合、第二の携帯端末が条件に対応する画像情報を待受画面表示部に表示させる画像表示ステップとを含むことを特徴とする。
【００１４】
本発明による待受画面設定プログラムは、他のコンピュータの状態を示す状態情報を受信するサーバから、状態情報を受信して状態情報に応じた待受画面を表示するコンピュータに搭載される待受画面設定プログラムであって、コンピュータに、サーバから状態情報を受信したときに、状態情報を記憶する状態記憶手段に状態情報を登録する登録処理、および、所定の条件と所定の条件を満たしたときに表示する画像情報とを対応付けた待受制御情報を記憶する条件記憶手段に、状態記憶手段に記憶された状態情報及びタイマが計時した現在時刻に対応する条件が記憶されている場合、条件に対応する画像情報を待受画面を表示する表示部に表示させる画像表示処理を実行させることを特徴とする。
【００１５】
本発明による状態情報送信プログラムは、自身の状態を示す状態情報を検知するコンピュータに搭載されるプログラムであって、コンピュータに、状態情報を検知する検知処理、および、状態情報と状態情報の基準を示す基準情報との間に差分があると判断した場合に、状態情報を予め定められた装置へ送信する状態情報送信処理を実行させることを特徴とする。
【００１６】
本発明による制御プログラムは、第一の携帯端末から第一の携帯端末の状態を示す状態情報を受信し、所定の条件と条件を満たしたときに表示する画像情報とを対応付けた待受制御情報に応じた待受画面を表示する第二の携帯端末に状態情報を送信するコンピュータに搭載されるプログラムであって、コンピュータに、所定の条件を作成するための設定情報及び画像情報をもとに、待受制御情報を生成する待受制御情報生成処理、および、状態情報及び待受制御情報を、第二のコンピュータに送信する送信処理を実行させることを特徴とする。
【発明の効果】
【００１７】
本発明によれば、携帯端末の利用者の行動に応じて、他の携帯端末の待受画面を自動で設定できる。
【発明を実施するための最良の形態】
【００１８】
以下、本発明の実施形態を図面を参照して説明する。
【００１９】
図１は、本発明による待受画面設定システムの一実施形態を示すブロック図である。本発明における待受画面設定システムは、携帯電話機１０１と、携帯電話機２０１と、基地局サーバ１３１とを備えている。携帯電話機１０１と携帯電話機２０１と基地局サーバ１３１とは、通信ネットワーク１００を介して接続される。通信ネットワーク１００は無線通信ネットワーク等であるが、通信ネットワーク１００の形態は、特に限定されない。
【００２０】
携帯電話機１０１は、携帯電話機１０１が検知する現在の状態に関する情報（以下、状態情報と記す。）を、他の携帯電話機である携帯電話機２０１向けに送信する。携帯電話機１０１は状態情報として、例えば、現在位置、移動の有無を検知し、またこれらの情報を検知した時刻も併せて検知する。
【００２１】
本実施形態では、携帯電話機１０１が予め定められた基地局サーバ１３１に対して状態情報を送信し、基地局サーバ１３１が、携帯電話機１０１から受信した状態情報を携帯電話機２０１向けに変換し、その変換した情報（以下、状態変換情報と記す。）を携帯電話機２０１が受信する場合について説明する。なお、携帯電話機１０１が携帯電話機２０１向けの状態変換情報を作成してもよい。この場合、基地局サーバ１３１は、変換処理を行わなくてもよい。
【００２２】
また、携帯電話機１０１は、携帯電話機２０１の待受画面に表示させる画像を更新するための条件、及びその条件に基づいて表示する待受画像の情報を携帯電話機２０１向けに送信する。待受画像の情報は、画像データそのものでもよいし、基地局サーバ１３１が画像データを保存している場合であれば、その画像データを識別できる情報であってもよい。
【００２３】
以下の説明では、携帯電話機２０１の待受画面に表示させる画像を更新するための条件、及びその条件に基づいて表示する待受画像の情報をまとめたものであって、携帯電話機１０１が送信するこれらの情報を設定情報と記す。本実施形態では、携帯電話機１０１が予め定められた基地局サーバ１３１に対して設定情報を送信し、基地局サーバ１３１が携帯電話機１０１から受信した設定情報を携帯電話機２０１向けの制御情報として変換し、その変換した情報（以下、待受制御情報と記す。）を携帯電話機２０１が受信する場合について説明する。また、待受制御情報のうち、画像を更新するための条件を変換した情報を条件情報、表示する待受画像の情報から決定した画像を画像情報と記す。なお、携帯電話機１０１が携帯電話機２０１向けの待受制御情報を作成してもよい。この場合、基地局サーバ１３１は、変換処理を行わなくてもよい。
【００２４】
図１に示す例では携帯電話機１０１及び携帯電話機２０１をそれぞれ１台ずつ示しているが、携帯電話機１０１及び携帯電話機２０１の台数は１台に限定されず、２台以上であってもよい。
【００２５】
以下の説明では、携帯電話機１０１と携帯電話機２０１とは、別の構成である場合について説明するが、携帯電話機１０１と携帯電話機２０１の構成は、同一の構成であってもよい。例えば、図２の例に示す携帯電話機３０１のように、プロセッサ３０２と、時計３０３と、プログラム記憶部３０４と、キー３０５と、回線接続部３０６と、加速度情報取得装置３０７と、位置情報取得装置３０８と、メモリ３０９（より詳しくは、待受画面機能用制御メモリ３２２と、待受画面機能用画像メモリ３２３）と、表示装置３１０と、スピーカ３１１と、マイク３１２とを備える構成であってもよい。
【００２６】
携帯電話機１０１は、プロセッサ１０２と、時計１０３と、プログラム記憶部１０４と、キー１０５と、回線接続部１０６と、加速度情報取得装置１０７と、位置情報取得装置１０８と、メモリ１０９と、スピーカ１１１と、マイク１１２とを備えている。
【００２７】
時計１０３は、現在日時を計時する。
【００２８】
キー１０５は、携帯電話機１０１の利用者等によって操作される入力デバイスである。キー１０５は、キーボードやテンキー等の入力デバイスであるが、キー１０５の態様はキーボードやテンキー等に限定されない。
【００２９】
回線接続部１０６は、通信ネットワーク１００を介して、基地局サーバ１３１及び他の携帯電話機とのデータの送受信を行う。
【００３０】
加速度情報取得装置１０７は、携帯電話機１０１が移動したことを検出するセンサであり、例えば、加速度センサなどにより実現される。例えば、加速度情報取得装置１０７が、携帯電話機１０１を保持する保持者が移動したことを示す情報を検出し、プロセッサ１０２は、その情報を、携帯電話機１０１の利用者の状態情報として使用してもよい。さらに、携帯電話機１０１がカメラを備え、そのカメラ及び加速度情報取得装置１０７によって傾きや移動速度情報を取得できる場合であれば、携帯電話機１０１は、そのカメラ及び加速度情報取得装置１０７によって取得できるこれらの情報を状態情報として利用してもよい。
【００３１】
位置情報取得装置１０８は、携帯電話機１０１の現在位置を検知するセンサである。位置情報取得装置１０８は、例えば、ＧＰＳ（Ｇｌｏｂａｌ  Ｐｏｓｉｔｉｏｎｉｎｇ  Ｓｙｓｔｅｍ）衛星からの信号に基づいて位置情報を導出するＧＰＳ装置によって実現される。例えば、位置情報取得装置１０８が、携帯電話機１０１を保持する利用者の現在位置を検出し、プロセッサ１０２は、その情報を携帯電話機１０１の利用者の状態情報として使用してもよい。以下の説明では、位置情報取得装置１０８が検出した現在位置を利用者の状態情報として利用する場合について説明する。
【００３２】
メモリ１０９は、携帯電話機１０１の状態情報の基準となる情報（以下、基準情報と記す。）を記憶する記憶装置である。例えば、メモリ１０９は、位置情報取得装置１０８が検知した位置情報を、基準情報として記憶してもよい。
【００３３】
スピーカ１１１は、着信音やアラーム音を発する。
【００３４】
マイク１１２は、携帯電話機１０１の利用者の音声などを検知する。例えば、マイク１１２が携帯電話機１０１の利用者の音声を検出し、プロセッサ１０２がその音声を、携帯電話機１０１の利用者の状態情報として使用してもよい。
【００３５】
プログラム記憶部１０４は、プログラムを記憶する記憶装置である。例えば、プロセッサ１０２がそのプログラムを読み込み、プログラムに従って状態情報及び待受制御情報の送信等を行う。
【００３６】
プロセッサ１０２は、設定情報を基地局サーバ１３１に送信する。プロセッサ１０２は、例えば、携帯電話機１０１の利用者が、キー１０５を介して入力した設定情報を送信してもよい。また、例えば、メモリ１０９が設定情報を記憶している場合であれば、プロセッサ１０２は、メモリ１０９からその設定情報を読み取って、基地局サーバ１３１に送信してもよい。
【００３７】
携帯電話機１０１が送信する設定情報は、待受制御情報を追加するための追加情報であってもよく、以前設定した設定情報との差分情報であってもよい。例えば、既に送信済の画像情報が基地局サーバ１３１に存在する場合に、携帯電話機１０１が差分情報を送信する場合であれば、携帯電話機１０１は、送信する差分情報にその画像情報を含めなくてもよい。すなわち、携帯電話機１０１は、新たに追加された画像のみを基地局サーバ１３１に送信すればよい。
【００３８】
また、プロセッサ１０２は、携帯電話機１０１の状態を携帯電話機２０１に通知するため、状態情報と状態情報を検知した時刻（以下、検知時刻と記す。）とを基地局サーバ１３１に送信する。検知時刻は、例えば、時計１０３によって計時される。
【００３９】
また、携帯電話機１０１が、通信ネットワーク１００を介してインターネット上のサイトから待受画像の情報として画像データを取得できる場合、プロセッサ１０２は、その取得した画像データを、待受画像の情報として基地局サーバ１３１へ送信してもよい。また、例えば、メモリ１０９が画像データを記憶している場合であれば、プロセッサ１０２は、メモリ１０９からその画像データを読み取って、基地局サーバ１３１に送信してもよい。
【００４０】
基地局サーバ１３１は、待受画面更新情報処理部１３２と、記憶部１３３とを備えている。
【００４１】
記憶部１３３は、基準情報、携帯電話機２０１に送信する画像情報、及び送信する携帯電話機の宛先を示す情報等を記憶する記憶装置である。例えば、記憶部１３３は、携帯電話機１０１の利用者の自宅を示す地点の位置情報を基準情報として記憶してもよい。以下の説明では、記憶部１３３は基準情報として、携帯電話機１０１の利用者の自宅を示す地点の位置情報（以下、自宅の位置情報と記す。）を基準情報として記憶する場合を例に説明するが、基準情報は自宅の位置情報に限定されない。
【００４２】
待受画面更新情報処理部１３２は、携帯電話機１０１から受信した状態情報もとに、状態変換情報を作成する。待受画面更新情報処理部１３２は、例えば、携帯電話機１０１から状態情報として現在位置を示す情報を受信したときに、基準情報として記憶した自宅の位置情報と距離の差分を計算して、その差分の程度を状態変換情報として作成してもよい。例えば、現在位置と自宅の位置情報とがほぼ一致し、差分がほとんどない場合、状態変換情報を「位置０」と示し、一定の差分がある場合、状態変換情報を「位置２」，「位置３」などの情報として変換したものを作成してもよい。
【００４３】
また、待受画面更新情報処理部１３２は、携帯電話機１０１から受信した設定情報をもとに待受制御情報を作成する。待受画面更新情報処理部１３２は、例えば、携帯電話機１０１から、「所定の時刻に所定の位置に居た場合に携帯電話機２０１の待受画面に所定の画像を表示させる」旨の設定情報を受信した場合、携帯電話機２０１にこれらの条件に対応した表示制御を行わせるための条件情報を作成する。このとき、待受画面更新情報処理部１３２は、この条件情報に対応する画像情報として、携帯電話機１０１から受信した画像データを使用してもよい。または、記憶部１３３に画像データが記憶されている場合であれば、携帯電話機１０１からの指示に応じて、記憶部１３３に記憶された画像データを画像情報として使用してもよい。
【００４４】
また、待受画面更新情報処理部１３２は、検知時刻、状態変換情報及び待受制御情報を携帯電話機２０１に送信する。
【００４５】
待受画面更新情報処理部１３２は、例えば、プログラムに従って動作する基地局サーバ１３１のＣＰＵによって実現される。例えば、プログラムは、基地局サーバ１３１の記憶手段（図示せず）に記憶され、ＣＰＵは、そのプログラムを読み取り、プログラムに従って待受画面更新情報処理部１３２として動作してもよい。
【００４６】
携帯電話機２０１は、プロセッサ２０２と、時計２０３と、プログラム記憶部２０４と、回線接続部２０６と、メモリ２０９と、表示装置２１０とを備えている。
【００４７】
携帯電話機２０１は、基地局サーバ１３１から受信した検知時刻、状態変換情報及び待受制御情報を受信して、これらの情報をメモリ２０９に記憶する。携帯電話機２０１は、その記憶した情報をもとに待受画面に表示する画像の更新を行う。
【００４８】
時計２０３は、現在日時を計時する。
【００４９】
回線接続部２０６は、通信ネットワーク１００を介して、基地局サーバ１３１及び他の携帯電話機とのデータの送受信を行う。
【００５０】
表示装置２１０は、待受画面等を表示する表示装置であり、例えば、携帯電話機２０１が備えるＬＣＤ（Liquid Crystal Display）等の表示装置によって実現されるが、表示装置２１０の態様は、ＬＣＤに限定されない。
【００５１】
メモリ２０９は、待受画面機能用制御メモリ２２２と、待受画面機能用画像メモリ２２３とを含む記憶装置である。
【００５２】
待受画面機能用制御メモリ２２２は、基地局サーバ１３１から受信した検知時刻、状態変換情報及び条件情報を記憶し、待受画面機能用画像メモリ２２３は、基地局サーバ１３１から受信した画像情報を記憶する。条件情報は、例えば、スクリプト情報であり、画像情報は、例えば、表示装置２１０に表示する画像データであるが、条件情報及び画像情報はこれらの内容に限定されない。
【００５３】
また、待受画面機能用制御メモリ２２２は、複数の条件情報に対して優先順位をつけて記憶する。例えば、携帯電話機２０１が、待受制御情報を複数回受信したときに、待受画面機能用制御メモリ２２２は、後から記憶した条件情報を優先順位の高い情報として記憶してもよい。
【００５４】
本実施形態では、条件情報を記憶する記憶装置を、待受画面機能用制御メモリ２２２とし、画像情報を記憶する記憶装置を待受画面機能用画像メモリ２２３とする場合について説明しているが、記憶装置は、この分け方に限られない。例えば、条件情報と画像情報とをまとめて（すなわち、待受制御情報として）単独の記憶装置に記憶させてもよい。
【００５５】
プログラム記憶部２０４は、待受画面設定プログラム２２１を記憶する記憶装置である。本実施形態では、プロセッサ２０２が、待受画面設定プログラム２２１を読み込み、プログラムに従って、待受画面を設定する。
【００５６】
プロセッサ２０２は、時計２０３が計時した時刻に対応する条件情報を待受画面機能制御用メモリ２２２から読み取り、その条件情報が状態変換情報と一致しているかどうか判断する。条件が一致している場合、プロセッサ２０２は、その条件情報に対応する画像情報を待受画面機能用画像メモリ２２３から読み取って、その画像情報を表示装置２１０に表示させる。条件が一致していない場合であれば、プロセッサ２０２は、あらかじめ定めた画像情報を表示装置２１０に表示させてもよい。
【００５７】
また、携帯電話機１０１及び携帯電話機２０１が、画像情報を編集できる機能を備えていてもよい。例えば、イラストツールによるイラストを画像情報として利用してもよい。また、携帯電話機にプリインストールされた再配信可能な画像に対し、色調変更などのフォトレタッチ加工や文字の書き込みを行って加工した画像を画像情報として利用してもよい。また、携帯電話機１０１及び携帯電話機２０１がカメラを内蔵している場合であれば、そのカメラを利用して、写真を撮影し、その画像を画像情報として使用してもよい。
【００５８】
次に、動作について説明する。図３は、携帯電話機１０１が携帯電話機２０１に対して、初期設定を行う処理の例を示すフローチャートである。以下、初期設定が完了し、携帯電話機１０１と携帯電話機２０１との連携が開始したことを連動動作開始と記す。
【００５９】
例えば、携帯電話機１０１の利用者によって、初期設定開始の指示がなされると、携帯電話機１０１は、初期設定を開始する。まず、位置情報取得装置１０８は、初期設定開始時点における位置情報を取得し、その位置情報を基準情報としてメモリ１０９に登録する（ステップＳ２０１）。以下の説明では、初期設定で位置情報取得装置１０８が検知した自宅の位置情報を基準情報として使用する場合について説明する。
【００６０】
プロセッサ１０２は、基準情報として取得した自宅の位置情報、及び設定情報を基地局サーバ１３１へ送信する（ステップＳ２０２）。設定情報には、待受画像を表示する時間帯と、その時間帯に表示する画像の情報とを含む。画像の情報は、画像データそのものでもよいし、基地局サーバ１３１に記憶された画像データを識別する情報でもよい。
【００６１】
また、プロセッサ１０２は、待受制御情報を送信する携帯電話機の宛先を示す情報を基地局サーバ１３１に送信する。宛先を示す情報は、１件であってもよく、複数件であってもよい。
【００６２】
基地局サーバ１３１が携帯電話機１０１から基準情報及び携帯電話機の宛先を示す情報を受信すると、待受画面更新情報処理部１３２は、それらの情報を記憶部１３３に記憶させる。また、基地局サーバ１３１が設定情報を受信すると、待受画面更新情報処理部１３２は、その設定情報をもとに待受制御情報を作成する（ステップＳ３０１）。待受画面更新情報処理部１３２は、作成した待受制御情報を携帯電話機２０１に送信する（ステップＳ３０２）。なお、待受画面更新情報処理部１３２は、記憶部１３３に記憶された携帯電話機２０１の宛先を示す情報に基づいて待受制御情報の送信先を決定する。
【００６３】
また、待受画面更新情報処理部１３２は、状態変換情報として所定の項目に関する情報を携帯電話機２０１に送信してもよい。以下の説明では、ステップＳ３０２において、待受画面更新情報処理部１３２が状態変換情報として所定の項目に関する情報（例えば、位置を表す「位置０」，「位置２」など）を携帯電話機２０１に送信する場合について説明する。ただし、待受画面更新情報処理部１３２は、ステップＳ３０２において、状態変換情報として所定の項目に関する情報を携帯電話機２０１に送信しなくてもよい。この場合、携帯電話機２０１は、携帯電話機１０１の現在位置を示す状態変換情報を受信するまで待受画面の制御を行わず、既存の待受画像を表示させればよい。
【００６４】
携帯電話機２０１が待受制御情報及び状態変換情報を受信すると、プロセッサ２０２は、その待受制御情報の条件情報及び状態変換情報を待受画面機能用制御メモリ２２２に記憶させ、画像情報を待受画面機能用画像メモリ２２３に記憶させる。プロセッサ２０２は、記憶させた旨を携帯電話機１０１に通知するため、基地局サーバ１３１宛にその旨の送信する（ステップＳ４０１）。
【００６５】
基地局サーバ１３１は、携帯電話機２０１が待受制御情報を記憶させた旨の通知を受信すると、携帯電話機１０１に、その旨を通知する（ステップＳ３０３）。携帯電話機１０１は、基地局サーバ１３１からその旨の通知を受信すると、携帯電話機２０１と連動動作が開始したと判断する（ステップＳ２０３）。
【００６６】
次に、携帯電話機２０１が、待受制御情報を受信した後の動作について説明する。図４は、携帯電話機２０１が待受制御情報を受信した後の処理の例を示すフローチャートである。携帯電話機２０１が、待受制御情報及び状態変換情報をメモリ２０９に記憶させたあと（ステップＳ４０１）、例えば、携帯電話機２０１の利用者の指示に応じ、プロセッサ２０２は、待受画面を表示するための処理を開始する（ステップＳ４０２）。
【００６７】
プロセッサ２０２は、待受画面を表示するための処理を開始すると、時計２０３に現在の日時を取得させる（ステップＳ４０３）。プロセッサ２０２は、現在の日時及び状態変換情報を待受画面機能用制御メモリ２２２に記憶された条件情報と比較し、一致する条件情報が存在するか否か判定する（ステップＳ４０４）。一致する条件情報が存在した場合（ステップＳ４０４におけるＹＥＳ）、プロセッサ２０２は、条件情報に対応する画像データを待受画面機能用画像メモリ２２３から読み込み、その画像データを表示装置２１０に表示させる（ステップＳ４０５）。一致する条件情報が存在しない場合（ステップＳ４０４におけるＮＯ）、例えば、状態変換情報（例えば、携帯電話機１０１の現在位置）に関わらず、その時間帯のみの条件で一致する条件情報が存在する場合であれば、その条件情報に対応する画像データを待受画面機能用画像メモリ２２３から読み込み、その画像データを表示装置２１０に表示させてもよい（ステップＳ４０６）。また、その時間帯のみの条件でも一致する条件情報が存在しない場合、例えば、あらかじめ定めた画像データを表示装置２１０に表示させてもよい。
【００６８】
次に、携帯電話機１０１が、携帯電話機２０１の状態変換情報を更新する場合について説明する。図５は、携帯電話機１０１の利用者が携帯電話機を携帯して移動したときの移動状況に応じて、携帯電話機２０１の状態変換情報の更新を行う処理の例を示すフローチャートである。
【００６９】
例えば、加速度情報取得装置１０７が携帯電話機の移動を検知すると、プロセッサ１０２は、例えば、メモリ１０９内に作業領域を確保する。その後、プロセッサ１０２は、定期的（例えば、数十秒〜数分おき）に、時計１０３に日時を検知させ、併せて位置情報取得装置１０８に、現在位置を取得させて、それらの情報を対応付けてメモリ１０９の作業領域に記憶させる（ステップＳ５０１）。以下、メモリ１０９の作業領域に記憶させたこれらの情報をログ情報と記す。
【００７０】
プロセッサ１０２は、ログ情報と予め定めた基準情報（本例では、自宅の位置情報）との間に一定の差分が存在するか否か判定する（ステップＳ５０２）。例えば、プロセッサ１０２は、携帯電話機１０１の利用者が自宅から一定距離（例えば、数百メートル、数キロメートル、又は数十キロメートルの距離）離れ、一定時間経過しているか否かを判定する。
【００７１】
プロセッサ１０２は、一定の差分が存在すると判定した場合（ステップＳ５０２におけるＹＥＳ）、基地局サーバ１３１に携帯電話機１０１の現在位置と検知時刻とを送信する（ステップＳ５０３）。一方、プロセッサ１０２が、一定の差分が存在しないと判定した場合（ステップＳ５０２におけるＮＯ）、再度記憶されたログ情報と基準情報とを比較するステップＳ５０１以降の処理を繰り返す。
【００７２】
基地局サーバ１３１は、携帯電話機１０１の現在位置と検知時刻とを受信すると、その現在位置と基準情報をもとに状態変換情報を作成する（ステップＳ５１１）。例えば、基地局サーバ１３１が、携帯電話機１０１の現在位置として携帯電話機１０１の利用者の通う大学の位置を受信した場合、待受画面更新情報処理部１３２は、基準情報である自宅の位置情報と大学の位置とから、状態変換情報を、例えば「位置２」と作成してもよい。待受画面更新情報処理部１３２は、作成した状態変換情報と検知時刻とを携帯電話機２０１に送信する（ステップＳ５１２）。
【００７３】
携帯電話機２０１は、検知時刻と状態変換情報とを受信すると、メモリ２０９にこれらの情報を登録し、その結果を基地局サーバ１３１を介して携帯電話機１０１に送信する（ステップＳ５２１）。基地局サーバ１３１は、その更新結果を、携帯電話機１０１に送信する（ステップＳ５１３）。
【００７４】
次に、携帯電話機１０１が、携帯電話機２０１の待受制御情報を更新する場合について説明する。図６は、携帯電話機１０１が携帯電話機２０１に対して、待受制御情報を更新する処理の例を示すフローチャートである。例えば、携帯電話機１０１の利用者によって、待受制御情報の更新指示がなされると、プロセッサ１０２は、更新する情報を設定した設定情報を基地局サーバ１３１へ送信する（ステップＳ２０２’）。この時、プロセッサ１０２は、携帯電話機１０１の現在位置を併せて送信してもよい。
【００７５】
基地局サーバ１３１が設定情報を受信して、待受制御情報を作成し、その待受制御情報を携帯電話機２０１に送信するまでの処理は、ステップＳ３０１〜Ｓ３０２に示す内容と同様である。
【００７６】
携帯電話機２０１が待受制御情報を受信すると、プロセッサ２０２は、その待受制御情報の条件情報を待受画面機能用制御メモリ２２２に記憶させ、画像情報を待受画面機能用画像メモリ２２３に記憶させる（ステップＳ４０１’）。
【００７７】
次に、携帯電話機の待受画面の表示を更新する方法について、以下に詳述する。図７は、携帯電話機６００の待受画面を表示する表示装置６０１が、条件情報に一致した画像を表示する処理の例を示す説明図である。
【００７８】
経過時刻６０２は、時計２０３が計時した日時である。携帯電話機６００が設定した待受画面の表示設定６０３（以下、初期設定６０３と記す。）は、初期設定で携帯電話６００に記憶させた待受制御情報の条件情報である。また、割込み待受画面表示設定６０４（以下、更新設定６０４と記す。）は、初期設定の後に追加された待受制御情報の条件情報である。更新設定６０４は、条件を送信する携帯電話機の利用者の更新操作によって追加される。携帯電話機６００は、判定条件として、初期設定６０３よりも優先的に更新設定６０４を使用する。
【００７９】
待受制御情報の一部であるイベント６０５及びイベント６０６を用いて具体的に説明する。イベント６０５には、表示設定６０３として４件の条件情報が登録されているが、更新設定６０４として登録された条件情報は存在しない。そのため、経過時刻６０２の示す時刻と表示設定６０３の条件情報に含まれる時間帯とが一致すると、携帯電話機６００は、その一致した条件情報の内容をもとに、表示装置６０１に表示する内容を判断する。
【００８０】
例えば、携帯電話機６００の利用者が、２００８年６月２日の８：３０に、待受画面に画像情報を表示させようとした場合、携帯電話機６００は、表示設定６０３の条件情報のうち、その時間を含む時間帯（時間帯０８：００〜０９：００）に対応する画像である画像３を選択して表示する。
【００８１】
一方、イベント６０６には、表示設定６０３及び更新設定６０４としてそれぞれ１件の条件情報が登録されている。表示設定６０３では、１６：００〜１７：００の間は、携帯電話機の位置によらず、画像１を表示することになっている。ここで、更新設定６０４には、１６：３０〜１７：００の間は、携帯電話機が「位置０」で表わされる位置にある場合に画像０を表示すると設定されているため、この条件を満たす場合には、画像０（自宅にいる本人）を画像１よりも優先して表示する。
【００８２】
また、携帯電話機６００の利用者が基準情報として定めた自宅へ一定期間滞在する場合には、現在位置と自宅の位置に差分が発生しないため、表示設定６０４に条件は追加されない。そのため、携帯電話機６００は表示設定６０３の内容に従って待受画面を更新する。
【００８３】
図８は、状態情報と条件情報が一致した場合に表示する待受画面の画像のイメージの例を示した説明図である。破線７０１の上方に記載した画像７１１〜７１６は、表示設定６０３の条件情報の時間帯に対応する画像情報である。破線７０１と破線７０２の間に記載した画像７１７〜７１９は、更新設定６０４の条件情報の時間帯に対応する画像情報である。
【００８４】
（１）、（２）及び（６）の時間帯は、更新設定６０４の条件情報が存在しない（すなわち、その時間帯に表示する画像情報が存在しない）。そのため、携帯電話機７００の待受画面には、表示設定６０３の条件情報に対応する画像情報（本例では、画像７１１，７１２，７１６）を表示する。
【００８５】
一方、（３）、（４）及び（５）の時間帯は、更新設定６０４の条件情報が存在する（すなわち、その時間帯に表示する画像情報が存在する）。そのため、更新設定６０４の条件情報を満たす場合には、携帯電話機７００の待受画面には、表示設定６０３の条件情報に対応する画像情報（本例では、画像７１３，７１４，７１５）ではなく、更新設定６０４の条件情報に対応する画像情報（本例では、画像７１７，７１８，７１９）を表示する。
【００８６】
本発明によれば、携帯電話機１０１は、検知した状態情報を基地局サーバ１３１に送信し、基地局サーバ１３１は、その状態情報を携帯電話機２０１に送信する。携帯電話機２０１は、状態情報を受信すると、その状態情報をメモリ２０９に登録する。携帯電話機２０１は、登録した状態情報と時計２０３が計時した現在時刻とに対応する条件が待受画面機能用制御メモリ２２２に記憶されている場合、その条件に対応する画像情報を待受画面機能用画像メモリ２２３から読み込んで表示装置２１０に表示させる。よって、携帯電話機１０１の利用者の行動に応じて、携帯電話機２０１の待受画面を自動で設定できる。
【００８７】
図９は、本発明における待受画面設定システムの概要を示すブロック図である。本発明による待受画面設定システムは、第一の携帯端末７０（例えば、携帯電話機１０１）と、第一の携帯端末７０から第一の携帯端末７０の状態を示す状態情報（例えば、携帯電話機１０１の現在位置）を受信する制御サーバ８０（例えば、基地局サーバ１３１）と、制御サーバ８０から状態情報を受信し、状態情報に応じた待受画面を表示する第二の携帯端末９０（例えば、携帯電話機２０１）とを備えている。
【００８８】
第一の携帯端末７０は、状態情報を検知する検知手段７１（例えば、位置情報取得装置１０８）と、状態情報（例えば、携帯電話機１０１の現在位置）と状態情報の基準を示す基準情報（例えば、自宅の位置情報）との間に差分があると判断した場合に、状態情報を制御サーバ８０へ送信する状態情報送信手段７２（例えば、プロセッサ１０２）とを備えている。
【００８９】
制御サーバ８０は、状態情報を第二の携帯端末９０に送信する送信手段８１（例えば、待受画面更新情報処理部１３２）を備えている。
【００９０】
第二の携帯端末９０は、待受画面を表示する待受画面表示部９１（例えば、表示装置２１０）と、状態情報を記憶する状態記憶手段９２（例えば、メモリ２０９）と、所定の条件と条件を満たしたときに表示する画像情報（例えば、画像データ、画像を識別する情報）とを対応付けた待受制御情報を記憶する条件記憶手段９３（待受画面機能用制御メモリ２２２、待受画面機能用画像メモリ２２３）と、制御サーバ８０から状態情報を受信したときに、状態記憶手段９２に状態情報を登録する登録手段９４（例えば、プロセッサ２０２）と、現在時刻を計時するタイマ９５（例えば、時計２０３）と、状態記憶手段９２に記憶された状態情報及び現在時刻に対応する条件が条件記憶手段９３に記憶されている場合、条件に対応する画像情報を待受画面表示部９１に表示させる画像表示手段９６（例えば、プロセッサ２０２）とを備えている。
【００９１】
そのような構成により、携帯端末の利用者の行動に応じて、他の携帯端末の待受画面を自動で設定できる。
【００９２】
また、検知手段７１が、状態情報として第一の携帯端末の現在位置を示す現在位置情報を検出し、状態情報送信手段７２が、状態情報として現在位置情報を制御サーバ８０に送信し、送信手段８１が、状態情報として現在位置情報を第二の携帯端末９０に送信し、登録手段９４が、制御サーバ８０から現在位置情報を受信したときに、状態記憶手段９３に現在位置情報を状態情報として登録し、画像表示手段９６が、状態記憶手段９２に記憶された現在位置情報及び現在時刻に対応する条件が条件記憶手段９３に記憶されている場合、条件に対応する画像情報を待受画面表示部９１に表示させてもよい。
【００９３】
また、第一の携帯端末７０が、所定の条件（例えば、待受制御情報）を作成するための設定情報（例えば、携帯電話機２０１の待受画面に表示させる画像を更新するための条件、及びその条件に基づいて表示する待受画像の情報）と、所定の条件を満たしたときに表示する画像情報とを対応付けて制御サーバへ送信する設定情報送信手段（例えば、プロセッサ１０２）を備え、制御サーバ８０が、設定情報及び画像情報をもとに、待受制御情報を生成する待受制御情報生成手段（例えば、待受画面更新情報処理部１３２）を備え、送信手段８１が、待受制御情報生成手段が生成した待受制御情報を第二の携帯端末９０に送信し、登録手段９４が、待受制御情報を受信したときに、条件記憶手段９３に当受制御情報を登録してもよい。
【００９４】
また、設定情報送信手段が、設定情報として、状態情報と状態情報を満たす時間帯とを制御サーバ８０へ送信し、待受制御情報生成手段が、設定情報として、状態情報と時間帯とをもとに待受制御情報を生成してもよい。
【００９５】
また、制御サーバ８０が、複数の宛先を記憶する宛先記憶手段（例えば、記憶部１３３）を備え、送信手段８１が、宛先の示す第二の携帯端末９０に状態情報を送信してもよい。
【産業上の利用可能性】
【００９６】
本発明は、携帯端末の利用者の動きに応じた待受画面を、他の携帯端末の画面に表示する待受画面設定システムに好適に適用される。
【図面の簡単な説明】
【００９７】
【図１】本発明による待受画面設定システムの一実施形態を示すブロック図である。
【図２】本発明による携帯電話機の一実施形態を示すブロック図である。
【図３】携帯電話機１０１が携帯電話機２０１に対して、初期設定を行う処理の例を示すフローチャートである。
【図４】携帯電話機２０１が待受制御情報を受信した後の処理の例を示すフローチャートである。
【図５】携帯電話機２０１の状態変換情報の更新を行う処理の例を示すフローチャートである。
【図６】待受制御情報を更新する処理の例を示すフローチャートである。
【図７】表示装置６０１が、条件情報に一致した画像を表示する処理の例を示す説明図である。
【図８】状態情報と条件情報が一致した場合に表示する待受画面の画像のイメージの例を示した説明図である。
【図９】本発明における待受画面設定システムの概要を示すブロック図である。
【符号の説明】
【００９８】
１００  通信ネットワーク
１０１，２０１，３０１  携帯電話機
１０２，２０２，３０２  プロセッサ
１０３，２０３，３０３  時計
１０４，２０４，３０４  プログラム記憶部
１０５，３０５  キー
１０６，２０６，３０６  回線接続部
１０７，３０７  加速度情報取得装置
１０８，３０８  位置情報取得装置
１０９，２０９，３０９  メモリ
１１１，３１１  スピーカ
１１２，３１２  マイク
１３１  基地局サーバ
１３２  待受画面更新情報処理部
１３３  記憶部
２１０，３１０  表示装置
２２２，３２２  待受画面機能用制御メモリ
２２３，３２３  待受画面機能用画像メモリ
【図１】
2010103896.tif 000003
【図２】
2010103896.tif 000004
【図３】
2010103896.tif 000005
【図４】
2010103896.tif 000006
【図５】
2010103896.tif 000007
【図６】
2010103896.tif 000008
【図７】
2010103896.tif 000009
【図８】
2010103896.tif 000010
【図９】
2010103896.tif 000011